(57)【要約】【課題】  自家農園コーディネートシステムの提供。【解決手段】農作物の生産を希望するユーザのための自家農園をコーディネートするシステムであって、通信回線を通して、ユーザデータ、農地所有者データ及び/又は生産代理人データを格納する手段、並びに、前記それぞれの格納されたデータを対比して、ユーザが希望する自家農園として適合する農地データ及び生産代理人データを検索する手段を備えたことを特徴とする前記システム。【選択図】  図１
2005339307.tif 000002
【特許請求の範囲】
【請求項１】
農作物の生産を希望するユーザのための自家農園をコーディネートするシステムであって、通信回線を通して、ユーザデータ、農地所有者データ及び/又は生産代理人データを格納する手段、並びに、前記それぞれの格納されたデータを対比して、ユーザが希望する自家農園として適合する農地データ及び/又は生産代理人データを検索する手段を備えたことを特徴とする前記システム。
【請求項２】
検索結果をユーザ、農地所有者及び/又は生産代理人に提供する手段をさらに備えたことを特徴とする請求項１記載のシステム。
【請求項３】
ユーザと農地所有者との間における農地の売買若しくは賃貸借契約手段又は信託手段をさらに備えたことを特徴とする請求項１又は２記載のシステム。
【請求項４】
ユーザと生産代理人との間における生産委託契約手段をさらに備えたことを特徴とする請求項１又は２記載のシステム。
【請求項５】
農地データが、農地所在地、農地面積、農地価格、農地の取引方法、土壌情報及びサポート情報からなる群から選択される少なくとも一つである請求項１記載のシステム。
【請求項６】
ユーザデータが、希望地域、農地の希望面積、予算、支払い方法、取引条件、栽培品目、栽培方法、配送方法及び保管方法からなる群から選択される少なくとも一つである請求項１記載のシステム。
【請求項７】
生産代理人データが、栽培品目、栽培方法、保管方法、配送方法、農地管理方法、請負形態、土壌情報及びサポート情報からなる群から選択される少なくとも一つである請求項１記載のシステム。
【請求項８】
農作物の生産を希望するユーザのための自家農園をコーディネートする方法であって、通信回線を通して、ユーザデータ、農地所有者データ及び/又は生産代理人データを格納するステップ、並びに、前記それぞれの格納されたデータを対比して、ユーザが希望する自家農園として適合する農地データ及び/又は生産代理人データを検索するステップを備えたことを特徴とする前記方法。
【請求項９】
検索結果をユーザ、農地所有者及び/又は生産代理人に提供するステップをさらに備えたことを特徴とする請求項８記載の方法。
【請求項１０】
ユーザと農地所有者との間における農地の売買若しくは賃貸借契約ステップ又は信託ステップをさらに備えたことを特徴とする請求項８又は９記載の方法。
【請求項１１】
ユーザと生産代理人との間における生産委託契約ステップをさらに備えたことを特徴とする請求項８又は９記載の方法。
【請求項１２】
農地データが、農地所在地、農地面積、農地価格、農地の取引方法、土壌情報及びサポート情報からなる群から選択される少なくとも一つである請求項８記載の方法。
【請求項１３】
ユーザデータが、希望地域、農地の希望面積、予算、支払い方法、取引条件、栽培品目、栽培方法、配送方法及び保管方法からなる群から選択される少なくとも一つである請求項８記載の方法。
【請求項１４】
生産代理人データが、栽培品目、栽培方法、保管方法、配送方法、農地管理方法、請負形態、土壌情報及び及びサポート情報からなる群から選択される少なくとも一つである請求項８記載の方法。
【請求項１５】
農作物の生産を希望するユーザのための自家農園をコーディネートするコンピュータプログラムであって、コンピュータを、通信回線を通して、ユーザデータ、農地所有者データ及び/又は生産代理人データを格納する手段、並びに、前記それぞれの格納されたデータを対比して、ユーザが希望する自家農園として適合する農地データ及び/又は生産代理人データを検索する手段として機能させるための前記プログラム。
【請求項１６】
検索結果をユーザ、農地所有者及び/又は生産代理人に提供する手段をさらに備えたことを特徴とする請求項１５記載のプログラム。
【請求項１７】
ユーザと農地所有者との間における農地の売買若しくは賃貸借契約手段又は信託手段をさらに備えたことを特徴とする請求項１５又は１６記載のプログラム。
【請求項１８】
ユーザと生産代理人との間における生産委託契約手段をさらに備えたことを特徴とする請求項１５又は１６記載のプログラム。
【請求項１９】
農地データが、農地所在地、農地面積、農地価格、農地の取引方法、土壌情報及びサポート情報からなる群から選択される少なくとも一つである請求項１５記載のプログラム。
【請求項２０】
ユーザデータが、希望地域、農地の希望面積、予算、支払い方法、取引条件、栽培品目、栽培方法、配送方法及び保管方法からなる群から選択される少なくとも一つである請求項１５記載のプログラム。
【請求項２１】
生産代理人データが、栽培品目、栽培方法、保管方法、配送方法、農地管理方法、請負形態、土壌情報及びサポート情報からなる群から選択される少なくとも一つである請求項１５記載のプログラム。
【請求項２２】
請求項１５〜２１のいずれか１項に記載のプログラムを記録したコンピュータ読み取り可能な記録媒体。
【発明の詳細な説明】
【技術分野】
【０００１】
本発明は、農作物の生産を希望するユーザや農地所有者等をサポートするための自家農園システムに関する。
【背景技術】
【０００２】
最近、食品の安全性又は健康志向により、有機栽培等の特定の栽培方法により収穫された農作物の商品的価値が注目されている。このため、一般消費者は、家庭農園により、あるいはある程度の区画の土地を借りて農作物を栽培することにより、自己の要求にかなう農作物を生産する傾向がある。
【０００３】
しかし、一般消費者がこのような農作物の栽培を希望しても、(a)そのような農地がない、(b) 農作物の栽培方法が分からない、(c) 栽培に必要な設備が揃わない、(d) 農作物を流通経路に乗せることができないなど、満足できる栽培を行うことが困難である。各種農作物の栽培手法、農地の管理方法、農作物の保管方法、配送方法等を習得しようとしても、特殊な技術および知識を必要とする場合は時間がかかる。
【０００４】
一方、土地の所有者は、高齢のため農業を継続することが困難になる場合もあれば、自己の所有する土地を有効利用したいと考える場合もある。そのような場合、所有する土地を農園として賃貸又は分譲することが得策である。しかし、土地の所有者は、必ずしもその土地を賃貸又は譲渡することができるとは限らない。
【０００５】
植物の栽培や農園の運営システムについては、既にいくつかの特許出願がなされているが（特許文献１〜３）、ユーザの希望する農地で、希望する作物を栽培することを総合的にコーディネートするシステムは開発されていない。
【特許文献１】特開2002-108971号公報
【特許文献２】特開2002-108972号公報
【特許文献３】特開2002-279017号公報
【発明の開示】
【発明が解決しようとする課題】
【０００６】
本発明は、ユーザが自己の希望する自家農園により自己の希望する農作物を生産することを総合的にコーディネートするシステムを提供することを目的とする。
【課題を解決するための手段】
【０００７】
本発明は、上記課題を解決するために完成されたものである。すなわち、本発明は以下の通りである。
（１）農作物の生産を希望するユーザのための自家農園をコーディネートするシステムであって、通信回線を通して、ユーザデータ、農地所有者データ及び/又は生産代理人データを格納する手段、並びに、前記それぞれの格納されたデータを対比して、ユーザが希望する自家農園として適合する農地データ及び/又は生産代理人データを検索する手段を備えたことを特徴とする前記システム。
（２）検索結果をユーザ、農地所有者及び/又は生産代理人に提供する手段をさらに備えたことを特徴とする（１）記載のシステム。
【０００８】
上記(1)又は(2)記載のシステムにおいて、ユーザと農地所有者との間における農地の売買若しくは賃貸借契約手段又は信託手段、あるいはユーザと生産代理人との間における生産委託契約手段をさらに備えることができる。
（３）農作物の生産を希望するユーザのための自家農園をコーディネートする方法であって、通信回線を通して、ユーザデータ、農地所有者データ及び/又は生産代理人データを格納するステップ、並びに、前記それぞれの格納されたデータを対比して、ユーザが希望する自家農園として適合する農地データ及び/又は生産代理人データを検索するステップを備えたことを特徴とする前記方法。
（４）検索結果をユーザ、農地所有者及び/又は生産代理人に提供するステップをさらに備えたことを特徴とする（３）記載の方法。
（５）農作物の生産を希望するユーザのための自家農園をコーディネートするコンピュータプログラムであって、コンピュータを、通信回線を通して、ユーザデータ、農地所有者データ及び/又は生産代理人データを格納する手段、並びに、前記それぞれの格納されたデータを対比して、ユーザが希望する自家農園として適合する農地データ及び/又は生産代理人データを検索する手段として機能させるための前記プログラム。
（６）検索結果をユーザ、農地所有者及び/又は生産代理人に提供する手段をさらに備えたことを特徴とする（５）記載のプログラム。
（７）上記(5)又は(6)記載のプログラムを記録したコンピュータ読み取り可能な記録媒体。
【０００９】
上記発明において、農地データとしては、農地所在地、農地面積、農地価格、農地の取引方法、土壌情報及びサポート情報からなる群から選択される少なくとも一つが挙げられる。また、ユーザデータとしては、希望地域、農地の希望面積、予算、支払い方法、取引条件、栽培品目、栽培方法、配送方法及び保管方法からなる群から選択される少なくとも一つが挙げられる。さらに、生産代理人データとしては、栽培品目、栽培方法、保管方法、配送方法、農地管理方法、請負形態、土壌情報及びサポート情報からなる群から選択される少なくとも一つが挙げられる。
【発明の効果】
【００１０】
本発明により、自家農園コーディネートシステムが提供される。本発明は、全国に点在している自家農園候補である農地データの中から、ユーザのニーズに沿った農地を検索及び提供することができ、さらに、そのような農地に適した栽培または農地管理をしうる生産代理人も検索及び提供することができる。従って、ユーザは、希望する農地の利用により、その農地に適した農作物栽培を円滑に進めることができる。
【発明を実施するための最良の形態】
【００１１】
以下、本発明を詳細に説明する。
【００１２】
本発明は、農作物の生産を希望するユーザが農園を所有又は賃借して農作物を生産することができるように、ユーザをコーディネートするシステムに関する。農地を所有していないユーザであっても自家農園を営み、所望の農作物を栽培する機会が与えられるため、ユーザの希望に沿う農作物を生産することができる。ユーザは、自分で農作物を栽培しなくても本発明のシステムにより生産代理人に生産を委託することが可能となり、農地を所有するだけで農作物を手にすることが可能となる。すなわち、本発明は、農作物をユーザのために（生産代理人が）栽培すること、あるいはユーザ自身が栽培することを可能とするシステムであり、まさに「サイバイ」の名にふさわしいシステムであるといえる。
１．自家農園コーディネートシステム
本発明のシステムは、農作物の生産を希望する一般消費者（ユーザ）が農地を使用して自家農園を営むにあたり、インターネット等の通信回線を利用して、ユーザの希望条件データと、提供する農地所有者データと、生産代理人データとを対比することにより、ユーザの希望する農地を検索してその情報をユーザ、農地所有者及び/又は生産代理人に提供することにより、ユーザ本人が農作物を栽培すること、あるいは生産代理人がユーザのために栽培すること等を可能にするというものである。
【００１３】
図１は、本発明の自家農園コーディネートシステムの概念図である。本発明のシステムは、システム管理会社（以下、「管理会社」という）100内のシステム管理サーバ101、ユーザ端末102、農地所有者端末103、生産代理人端末104、特約店端末105及びインターネット106（通信回線）により実現される。
【００１４】
システム管理サーバ101は、インターネット106を介して、管理会社100のホームページの内容を開示して本発明のシステムに関する情報提供を行うサーバであり、管理会社100内に設置されているホストコンピュータである。システム管理サーバ101は、ユーザ端末102から入力されたユーザの基本データと、農地所有者端末103から入力された農地データと、生産代理人端末104から入力された生産代理人データとを対比して、ユーザにより入力された希望条件に合う農地及び/又は生産代理人の情報を検索するとともに、検索結果を、インターネット106を介してユーザ端末102、農地所有者端末103、生産代理人端末104及び/又は特約店端末105に送信するサーバである。なお、特約店は、システム管理会社と提携して、ユーザ、農地所有者又は生産代理人を管理会社に紹介する店舗である。
【００１５】
ユーザの基本データとは、検索の基礎となる消費者データであって、 (a) ユーザを特定するためのデータ（住所、氏名又は名称など）及び予算などのデータ、(b)並びに希望地域、農地の希望面積、予算、支払い方法、取引条件、栽培品目、栽培方法、配送方法、保管方法などの希望データが挙げられ、１つ又は複数項目が入力される。
【００１６】
ユーザ端末102は、農作物の栽培又は生産代理人への栽培委託を予定しているユーザ（個人又は法人）により操作される端末である。ユーザ端末102は、システム管理サーバ101に直接アクセスして農地の取得に関する情報を、システム管理サーバ101から、インターネット106又は電子メール等で直接受信して格納する。また、ユーザ端末102は、特約店端末105を介して入手したID番号やパスワードを登録することにより、農地データに関する情報を、システム管理サーバ101からインターネット106又は電子メール等で直接受信して格納することもできる。ユーザ端末102は、上記農地データの検索に関する情報を格納するとともに、提供された情報をユーザ端末102の利用者の操作に応じて表示画面に表示する。
【００１７】
農地所有者端末103は、本発明のシステムを利用して当該所有者（個人又は法人）が所有する農地データをシステム管理サーバ101に送信する端末であり、農地データの検索結果等の情報をシステム管理サーバ101からインターネット106又は電子メール等で受信して格納する。また、検索により農地データに合致したユーザ情報を、農地所有者端末103の担当者の操作に応じて表示画面に表示する。なお、「農地所有者」とは、農家の個人であってもよく、法人（農作業を事業とするか否かを問わない）であってもよい。また、これらの個人又は法人のほか、農地等の売買を目的とした投資家（個人又は法人）も含まれる。
【００１８】
農地データとは、自家農園として提供しうる農地の特性に関する情報の集合を意味し、たとえば、農地所在地、農地面積、農地価格、農地の取引方法、土壌情報（土壌の種類、性質、汚染情報等）、その農地で栽培可能な農作物の種類およびその栽培方法、特区の区別その他法令上の制限、あるいはユーザのためのサポート情報（例えば地図、行政又は市の特徴、自然環境、災害情報（災害履歴、統計等）、宿泊施設の有無及びその内容、リスク等）に関するデータ等が挙げられる。取引方法には、売買契約による農地の取得、賃貸借契約による農地の賃貸、あるいは信託などがある。
【００１９】
農地で栽培可能な農作物の種類は、その農地の地理的条件、土壌の性質、気候などから栽培に適するように選択される。農作物としては、野菜、果物、穀物、花卉などの植物が挙げられる。これらの農作物の具体例を以下に示すが、これらに限定されるものではない。
野菜：トマト、たまねぎ、かぶ、ばれいしょ、ピーマン、山菜、さやえんどう、グリーンピース、そらまめ、アスパラガス、こまつな、セロリ、にら、ふき、キャベツ、レタス、にんじん、きゅうり、なす、ねぎ、かんしょ、さやいんげん、えだまめ、にんにく、らっきょう、しょうが、スイートコーン、はくさい、かぼちゃ、だいこん、ほうれんそう、さといも、ブロッコリー、カリフラワー、ごぼう、やまのいも、きのこ・しめじ類、れんこん、しゅんぎく、みつば、その他
果物：みかん、レモン、なつみかん、いちご、りんご、すいか、メロン、さくらんぼ、桃、ぶどう、梨、キウイ、びわ、ネクタリン、プラム、バナナ、柿、パイナップル、ブルーベリー、マンゴー、パパイヤ、ライチ、グアバ、その他
穀物：米、小麦、大麦、大豆、落花生、さつまいも、そば、その他
花卉：アゲラタム、アザレア、インパチェンス、カーネーション、ガーベラ、キク、キンギョソウ、コリウス、サルビア、シクラメン、チューリップ、日々草、ハーブ類・バーベナ、バラ、パンジー、プリムラ、ベゴニア、ペチュニア、マリーゴールド、観葉植物、その他
栽培方法には、農作物の種まき、植え付け、管理等から収穫までの各ステップが含まれ、有機農法の可否、その農地で二期作又は二毛作の可否の情報も含まれる。
【００２０】
各農地データは、予め農地所有者端末103から入力され、インターネット106等を介してシステム管理サーバ101のデータベースに蓄積される。
【００２１】
生産代理人端末104は、システム管理サーバにより検索されたユーザデータを、システム管理サーバ101からインターネット106又は電子メール等で受信して格納すると共に、受信した情報を生産代理人端末104の担当者の操作に応じて表示画面に表示する。
【００２２】
生産代理人データとは、農作物の栽培又は農地の管理方法についての技術または知識を有する個人又は法人、あるいは所定の団体に関する情報の集合を意味し、たとえば、個人若しくは法人の区別、栽培可能な農作物の種類（栽培品目）、栽培方法、収穫した農作物の保管方法、配送方法、農地管理方法、生産代理人の作業の請負形態、土壌情報（土壌の種類、性質、汚染情報等）、サポート情報（例えば地図、行政又は市の特徴、自然環境、災害情報（災害履歴、統計等）、宿泊施設の有無及び内容、リスク等）などが含まれるが、これらに限定されるものではない。所定の団体には、例えば各地の農業協同組合などが含まれる。なお、生産代理人は農地所有者が兼任することも可能である。
【００２３】
栽培可能な農作物の種類は、生産代理人が所有する設備、生産技術等に応じて選択される。
【００２４】
収穫した農作物の保管方法は、生産代理人が有する保存設備により、収穫した農作物の室温保存、屋外放置、冷蔵保存、冷凍保存などの方法が選択される。配送方法は、収穫した農作物を宅配車（室温社、冷蔵車、冷凍車等）、列車、船便、航空便等により配送する方法が挙げられる。
【００２５】
農地管理方法は、生産代理人がーザに代わって農地を管理する方法であり、その管理形態によっては、農地近辺に居住することによる常駐、定期的な監視、ビデオカメラ又はデジタルカメラ等による撮影等があげられる。生産代理人の作業の請負形態は、生産代理人がユーザに栽培方法等を直接アドバイスする形態、ユーザとともに作業に従事する形態、及びユーザに代わって作業を行う作業形態などが挙げられる。
【００２６】
各生産代理人データは、生産代理人端末104から入力され、インターネット106等を介してシステム管理サーバ101のデータベースに蓄積される。
【００２７】
特約店端末105は、管理会社に顧客（ユーザ、農地所有者又は生産管理人）、すなわち本発明のシステムへの参加者の紹介等を行うことを管理会社100から委託された店舗の端末である。但し、特約店端末105は、管理会社100の各営業所のサービスカウンタ等に配置して、管理会社100の営業所が特約店として特約店端末105を設置することもできる。特約店端末105は、インターネット106を介してシステム管理サーバ101にアクセスし、顧客情報の送信、システム管理サーバ101からの情報の受信及び表示等を行う。なお、システム管理サーバ101は、管理会社100の社内システム（LAN）を構築して他の拠点に配置される端末とデータの送受信を行うこともできる。
【００２８】
図１において、システム管理サーバ101、ユーザ端末102、農地所有者端末103、生産代理人端末104及び特約店端末105の各々とインターネット106との間には、インターネットサービスプロバイダが配置されている。このインターネットサービスプロバイダとシステム管理サーバ101、ユーザ端末102、農地所有者端末103、生産代理人端末104及び特約店端末105の各々とは、ISDN回線、ADSL回線、光通信ケーブル、無線等により接続することが可能である。ユーザ端末102、農地所有者端末103、生産代理人端末104及び特約店端末105は、TCP/IP等のインターネット用の通信プロトコルを用いて、システム管理サーバ101と相互に通信可能なように接続される。
【００２９】
図２は、システム管理サーバ101の詳細構成図である。図２において、システム管理サーバ101は、制御部201、送信／受信部202、入力部203、出力部204、ROM205、RAM206、ハードディスクドライブ(HDD)207、CD-ROMドライブ208、ユーザデータベース（以下「DB」という）209、農地所有者DB210、生産代理人DB211、特約店DB212及び管理会社DB213により構成される。
【００３０】
制御部201はCPUであり、システム管理サーバ101全体の動作を制御する。特に、送信／受信部202の通信制御、ユーザDB209、農地所有者DB210、生産代理人DB211、特約店DB212、管理会社DB213に記憶されているデータを利用して、農地または生産代理人の検索及びその結果表示、ROM205からのホームページ等の表示データ読出し処理等を行う。
【００３１】
送信／受信部202は、制御部201の指示に基づいて、ユーザ端末102、農地所有者端末103、生産代理人端末104及び/又は特約店端末105との間でデータの送信及び受信処理を行う。送信／受信部202は、検索処理等に必要とする項目を所定のユーザ端末102、農地所有者端末103、生産代理人端末104及び/又は特約店端末105に対して送信する。
【００３２】
入力部203は、キーボード、マウス、タッチパネル等であり、各種データベースの内容更新時等に操作される。出力部204はLCD（液晶ディスプレイ）等であり、各種データベースの更新時等に制御部201からのコードデータをその都度表示用データに変換して表示処理を行う。ROM205は、ホームページに関する表示データ、及びシステム管理サーバ101の処理プログラムを格納する。RAM206は、システム管理サーバ101の処理に必要なデータを一時的に格納する。HDD207は、検索プログラム等を格納し、制御部201の指示に基づいて、格納しているプログラム又はデータ等を読み出し、例えばRAM206に格納する。CD-ROMドライブ208は、制御部201からの指示に基づいて、CD-ROM213に格納されているプログラム等を読み出してRAM206等に書き込む。CD-ROMの代わりに記録媒体として書き換え可能なCD-R、CD-RW等を用いることもできる。その場合には、CD-ROMドライブ208の代わりにCD-R又はCD-RW用ドライブを設ける。また、上記媒体の他に、DVD、MO、フラッシュメモリースティック等の媒体を用い、それに対応するドライブを備える構成としても良い。
【００３３】
ユーザDB209、農地所有者DB210、生産代理人DB211、特約店DB212及び管理会社DB213は、光磁気ディスクライブラリ装置等の大容量の記憶装置であってもよい。図２では、各DBは各記憶装置に個別に格納されるように示しているが、これらのデータベースが１台の記憶装置に設けられていてもよい。
２．自家農園コーディネートシステムの動作
図３は、本発明のシステムの動作を説明するフローチャートである。
【００３４】
(1) 案内発信（ステップS301）
システム管理サーバ101は、ユーザ向け用、生産代理人向け用、農地所有者向け用、投資家向け用画面を表示し、自家農園システムの参加者に対して案内を発信する(S301)。案内画面は、例えば「ユーザの方はこちらから」、「生産代理人はこちらから」のように入り口を表示して、それぞれの参加者向けのリンクを貼ることもできる。参加者ごとではなく、メインの入り口を都道府県、市町村、工作街区、分譲地の順番で農地を案内するメニュー画面とすることもでき、産品ごと、あるいは栽培方法などから各種参加者向けにメニュー画面を表示することもできる。
【００３５】
(2) 登録（ステップS302）
ステップS301の案内発信により本発明のシステムに参加を希望する者（参加者）は、ユーザとして参加するのか、農地所有者として参加するのか、生産代理人として参加するのか、各参加者区分に応じて、それぞれの端末からアクセスして各参加者の情報、すなわち農地所有者が有する農地のデータ（農地データ）、ユーザデータ及び生産代理人データをサーバ101に登録する（ステップS302)。
【００３６】
システム管理サーバ101は、ユーザ端末102、農地所有者端末103、生産代理人端末104又は特約店端末105から入力されたこれらの情報をそれぞれのDBに蓄積する。
【００３７】
ユーザデータの登録は、ユーザの基本データの入力・読込みにより行われる。ユーザの基本データである希望農地面積、予算、希望栽培農産物、希望数量（分量）、希望する生産代理人に関するデータなどのうち１項目又は複数項目について、ユーザ端末102又は特約店端末105を介して情報が入力される。入力された情報は、システム管理サーバ101のユーザDB209に格納される。
【００３８】
図４及び図５は、ユーザDB209に記憶されるユーザデータを例示する図である。図４は、ユーザを特定するための基本データ（基本データIという）を示すものであり、基本データIとして、氏名、居住地、連絡先その他の情報が入力される。
【００３９】
図５は、ユーザが希望する農地、農作物または生産代理人等に関するデータを表示したものである（基本データIIという）。基本データIIとして、希望農地面積、予算、希望栽培形態、希望農作物などが入力される。なお、基本データIIには、各選択肢に関する解説ボタンを設置してもよい。また、選択肢は、プルダウン式に表示することも可能である。
【００４０】
農地所有者情報の登録は、所有者が所有する農地のデータ（農地データ）の入力・読込みにより行われる。入力された情報は、システム管理サーバ101の農地所有者DB209に格納される。
【００４１】
生産代理人情報の登録は、生産代理人データの入力・読込みにより行われる。生産代理人データである、居住地、栽培可能品目、栽培委託の可否、所有設備、栽培技術、経験年数、農産物の収穫・保存・輸送方法などのうち一項目または複数項目について、生産代理人端末104又は特約店端末105を介して生産代理人データが入力される。入力された生産代理人データは、システム管理サーバ101の生産代理人DB211に格納される。
【００４２】
図６は、生産代理人DB211に記憶される生産代理人データを例示する図であり、生産代理人を特定するための基本データ、及び生産代理人の特性に関するデータを表示したものである。これらのデータには、各選択肢に関する解説ボタンを設置してもよい。
【００４３】
ここで、各農地の特性は千差万別であり、ユーザ情報（敷地面積や予算）も多岐にわたるため、ユーザ情報に対応した適切な仕様がシステム管理サーバ101によって選択されるように、登録情報を１種類又は複数種類のグループに分類して登録しておくこともできる。例えば、ユーザの予算が「X1〜X2 円」のグループ、「X3〜X4 円」のグループのように分類することもでき、希望農地の面積を「Y1〜Y2 m2」のグループ、「Y3〜Y4 m2」のグループとして登録することができ、また、農地データの栽培可能品目を果物のグループ、野菜のグループ、花卉のグループのように分類して登録することができる。
【００４４】
上記の登録ステップでは、所定のデータが登録された時点でそれぞれの端末にID番号及びパスワードを送信することもできる。
【００４５】
(3) 追加登録（ステップS303）
システム管理サーバ101は、メニュー画面表示により多くの追加登録者がアクセスすることを想定して、追加登録のための画面を表示し、その追加登録の有無を確認する。追加登録情報が存在する場合(S303, Yes)は、上記と同様の登録とメニュー表示を繰り返す。追加登録情報がない場合(S303, No)は、検索ステップに進む。
【００４６】
(4) 検索（ステップS304）
システム管理サーバ101は、各参加者からの登録情報を受信した後は、各登録情報をサーチして各参加者の希望情報に合致するユーザデータ、農地データ、生産代理人データを検索する(S304)。
【００４７】
検索ステップS304は、農地に関する蓄積データと、ユーザ又は特約店により書き込まれたデータ（特に基本データII)と、生産代理人データとを対比して、農地データ又は生産代理人データの中に、ユーザデータと一致するデータ又はユーザデータを包含するデータが存在するか否かを検索するステップである。
【００４８】
例えば、ユーザが希望する農地情報や予算に基づいて、農地所有者が提供し得る農地の規模を農地所有者DB（例えば前述の農地面積でグループ分けした群のDBの中）から算出し、その数値範囲内で提供し得る各種仕様を農地所有者DBから選択する。
【００４９】
生産代理人の検索ステップは、ステップS303で検索された農地データと、生産代理人又は特約店により書き込まれた生産代理人データとを対比して、農地データの中に、生産代理人データと一致するデータ又は生産代理人データを包含するデータが存在するか否かをサーチし、ユーザの希望に沿った生産代理人をDB内から検索するステップである。
【００５０】
このステップでは、ユーザが希望する農地から一定距離範囲内に居住して生産管理することができる生産代理人の中からユーザの希望に沿う代理人を選択する。
【００５１】
(5) 検索結果の送信及び表示（ステップS305）
ステップS304により検索された結果は、それぞれの情報が各参加者に相互に送信され、表示される。例えば、多数の農地データの中から所定の農地データがユーザデータに合致するものとして検索されたとすると、システム管理サーバ101は、これらの検索結果を、農地データについてはユーザ端末102又は特約店端末104に送信して一覧表示するとともに、ユーザデータは農地所有者端末103に送信され表示される。
【００５２】
一覧表示は、特定の項目を選択して表示することも、全ての項目を表示することも可能である。例えば、検索によりヒットした農地所在地名と金額だけ選択して表示してもよく、図７に示すように栽培品目、栽培方法等の栽培仕様を表示することもできる。一部の項目又は仕様を表示した場合は、農地データの詳細ページに進むためのリンクをユーザ端末102又は特約店端末105に表示することもできる。なお、各端末には各農地の写真又はビデオ映像等を表示することもできる。これらの一覧表示によって、ユーザは各農地の金額又は生産代理人の仕様を比較することができる。
【００５３】
(6) 意思確認及び契約（ステップS306）
システム管理サーバ101は、検索結果で合意するかどうかの意思確認画面を各端末に表示する(S306)。ユーザ、農地所有者等は、複数の検索結果が表示されたときはそのいずれか１つを選択し、その結果に対して合意するときは「合意」の情報を入力し、システム管理サーバ101はその入力情報を受信する。そして、システム管理サーバ101は、各端末に表示した意思確認対象者の全員による合意の入力があったときに契約が成立したものと認識し(S307, Yes)、自家農園契約が成立した旨の情報を各端末に送信し、各端末は契約が成立したことを表示する(S308)。
【００５４】
契約が成立した後は、システム管理サーバ101はさらに詳細な仲介情報を各対象者に送信することもできる(S310)。例えば、ユーザと農地所有者との間における農地の売買又は賃貸借契約を行うための情報、農業特区の指定に関する情報、仕入れ価格に関する情報、産地情報、サービス及びメンテナンスに関する情報、生産コストに関する情報等を送信する(S309)。また、システム管理サーバ101はユーザと生産代理人との間における生産委託契約をするための詳細情報を送信する。
【００５５】
システム管理サーバ101は、ステップS307において意思確認対象者の１人でも合意できない旨の情報を受信したとき(S307, No)は、その自家農園契約が成立しなかったものとして、その旨を各端末に表示し、システムは終了する。
３．コンピュータプログラム
上記ステップを実行させるためには、ホストコンピュータが有する農地データの情報記録手段、ユーザデータ記録手段、生産代理人データ記録手段、検索手段、検索結果表示手段などを、上記ステップの実行のために相互に協調させて働かせることができるコンピュータ用プログラムが必要となる。このプログラムは、システム管理サーバ101に接続された情報記憶手段（ROM205、RAM206等）に格納され、システム管理サーバ101の検索手段を管理して、必要な機能又は処理を実行させる。
【００５６】
従って、本発明は、コンピュータを、本発明の自家農園コーディネートシステムとして実行させるためのコンピュータプログラムをも提供する。本発明のコンピュータプログラムは、本発明のシステムにおいて使用するコンピュータ上で、又はネットワーク上で機能しうるプログラム言語、例えばPerl、C++、Java（登録商標）、Visual Basic等で記載することができる。
【００５７】
なお、本発明のシステムを稼動させるためには、本発明のプログラムの他に、通常のコンピュータネットワークに必要なプログラム、例えば周知のオペレーティングシステム(OS)やインターネットブラウザプログラムも使用される。
４．コンピュータ用記録媒体
本発明のプログラムは、コンピュータ読み取り可能な記録媒体又はコンピュータに接続しうる記憶手段に保存することができる。本発明のプログラムを含有するコンピュータ用記録媒体又は記憶手段も本発明に包含される。この様な記録媒体又は記憶手段には、磁気的媒体（フレキシブルディスク、ハードディスクなど）、光学的媒体（CD、DVDなど）、磁気光学的媒体（MO、MD）などがある。
【図面の簡単な説明】
【００５８】
【図１】本発明の農地および生産代理人検索システムの概要を示す図である。
【図２】本発明のシステム管理サーバの詳細構成図である。
【図３】本発明の自家農園コーディネートシステムの動作を説明するフローチャートの図である。
【図４】ユーザDB209に記憶されるユーザデータ(基本データI)を例示する図である。
【図５】ユーザDB209に記憶されるユーザデータ(基本データII)を例示する図である。
【図６】生産代理人DB211に記憶される生産代理人データを例示する図である。
【図７】検索結果を表示した一例を示す図である。
【符号の説明】
【００５９】
100：管理会社
101：システム管理サーバ
102：ユーザ端末
103：農地所有者端末
104：生産代理人端末
105：特約店端末
106：インターネット
201：制御部
202：送信／受信部
203：入力部
204：出力部
205：ROM
206：RAM
207：ハードディスクドライブ(HDD)
208：CD-ROMドライブ
209：ユーザDB
210：農地所有者DB
211：生産代理人データDB
212：特約店DB
213：管理会社DB
214：CD-ROM
【図１】
2005339307.tif 000003
【図２】
2005339307.tif 000004
【図３】
2005339307.tif 000005
【図４】
2005339307.tif 000006
【図５】
2005339307.tif 000007
【図６】
2005339307.tif 000008
【図７】
2005339307.tif 000009